(57)【要約】      （修正有）【課題】投影機を上下を逆にして設置した場合でも、放電ランプの発光部を適正温度に保持することができ、光源の長寿命化を実現する。【解決手段】ランプユニット４を構成する反射鏡２１の上下面に冷却風導入用開口部２５を設け、各冷却風導入用開口部２５にケース側に固設した一対の冷却風通路２７，２８の冷却風吐出口２７ａ，２８ａを連通する。冷却風導入口２７ｂ，２８ｂには自重により上下動するシャッタ３０が設けられており、プロジェクタ装置を机上に設置した場合は、上面側の冷却風導入用開口部２５に連通する冷却風通路２７の冷却風吐出口２７ｂがシャッタ３０により遮蔽されるため、冷却風は冷却風通路２８を通り反射鏡２１の下側に供給される。一方プロジェクタ装置の上下を逆にして天井に吊下げた場合、冷却風通路２８の冷却風吐出口２８ａがシャッタ３０により遮蔽されるため、冷却風は冷却風通路２７を通り反射鏡２１の下側に供給される。【選択図】図４
2005024735.tif 000002
【特許請求の範囲】
【請求項１】
反射鏡と、
上記反射鏡の前面を覆う光透過性ガラスと、
上記反射鏡の内部に水平方向に配置した放電ランプと、
上記反射鏡の上記放電ランプを挟んで対向する位置に開口する冷却風導入用開口部と、
上記反射鏡の上記冷却風導入用開口部よりも後方に開口する排出用開口部と
を有し、
上記各冷却風導入用開口部に一対の冷却風通路の吐出側を各々接続し、
上記各冷却風通路の冷却風導入口側を一体化すると共に、
上記冷却風導入口に、上記各冷却風通路の一方を選択的に閉塞する可動式遮蔽部材を配設したことを特徴とする光源装置。
【請求項２】
上記可動式遮蔽部材は自重により上記各冷却風通路の一方を選択的に閉塞することを特徴とする請求項１記載の光源装置。
【請求項３】
上記可動式遮蔽部材は電動により上記各冷却風通路の一方を選択的に閉塞することを特徴とする請求項１記載の光源装置。
【請求項４】
上記可動式遮蔽部材は手動により上記各冷却風通路の一方を選択的に閉塞することを特徴とする請求項１記載の光源装置
【発明の詳細な説明】
【０００１】
【発明の属する技術分野】
本発明は、放電ランプを光源として映像を投射表示するプロジェクタ装置等に採用される光源装置に関する。
【０００２】
【従来の技術】
一般に、投影機等で採用する光源としては超高圧水銀ランプ等の放電ランプが多く採用されている。投影機の代表であるプロジェクタ装置に採用される放電ランプは、よりスクリーン照度の明るいものが開発される傾向にあるが、同時に、より小型化の要求も高い。例えば液晶プロジェクタ装置の光源として用いられる放電ランプの多くは超高圧水銀ランプであるが、プロジェクタ装置の小型化、高輝度化の要求に伴い、放電ランプ自体が高消費電力化、及び小型化される傾向にある。
【０００３】
しかし、放電ランプは、点灯時に非常に高温になり、万一適正温度を超えた状態で使用し続けると、放電ランプの寿命が極端に低下してしまう問題がある。そのため、ランプ寿命を延ばす手段として強制空冷方式が多く採用されている。この場合、例えば、消費電力１５０Ｗ以上で、反射鏡の前面開口部が５０ｍｍ角等といった小型ランプでは、放電ランプの発光部（発光管球体部）に直接冷却風を吹きつけて冷却する方式が一般的である。
【０００４】
一方、従来のプロジェクタ装置は、机上に水平に設置する、いわゆる据置き設置タイプが一般的であったが、最近のプロジェクタ装置の高輝度化に伴い、天井に吊り下げて使用する、いわゆる天吊り設置タイプも増えて来ている。従って、最近のプロジェクタ装置は、据置き設置と天吊り設置とを切換えて使用できるような構造となっているものが多い。
【０００５】
プロジェクタ装置を、机上に対して水平に設置する据置き設置では、投影画像が机上より上向きに投影されるように、いわゆるあおりを付けた状態に設定されている場合が多い。あおりを付けた状態のプロジェクタ装置を天吊り設置とする場合、そのまま天井に設置すると投影画像が天井に照射されるため、上下を逆にして設置する必要がある。
【０００６】
従来、発光部を強制空冷する技術として、放電ランプの周囲に配置した冷却ファンと、反射鏡に設けた冷却風導入用開口部との間を冷却風通路で接続し、冷却風通路を介して発光部に冷却風を導き、所定に冷却した後の冷却風を排気用開口部から排出するものが知られている。
【０００７】
この発光部を強制空冷するための構造としては、図９、図１０に示すようなものがある。図９に示すランプユニット５１は、反射鏡５２の上下に開口部４３ａ，４３ｂを設けるとと共に、下側の開口部４３ｂに、図示しない冷却ファンからの冷却風を導く冷却風通路４４を接続したものであり、冷却風通路４４から下側に設けた開口部４３ｂを経て反射鏡５２内に導かれた冷却風にて、放電ランプ４５の発光部（発光管球体部）４５ａの高温となる上部側を主に冷却し、その冷却風を上側に設けた開口部４３ａから排出するものである。
【０００８】
図１０に示すランプユニット６１は、反射鏡６２の下側に設けた開口部４３ｂに、図示しない冷却ファンからの冷却風を導く冷却風通路４４を接続し、反射鏡６２の中心の発光管固着部４６に排出用開口部６３を穿設したものであり、冷却風通路４４から開口部４３ａを経て反射鏡６２内に導かれた冷却風にて、放電ランプ４５の発光部（発光管球体部）４５ａの高温となる上部側を主に冷却し、その冷却風を排出用開口部６３から排出するものである。
【０００９】
図９、図１０に示すランプユニット５１，６１は、冷却風の導入側と排出側とが予め固定されている。従って、例えば据置き設置を標準としているプロジェクタ装置を天吊り設置とすべく上下を逆にして設置した場合、冷却風通路４４に接続されている開口部４３ａが反射鏡５２の上側となる。
【００１０】
このように、プロジェクタ装置を天吊り設置とした場合、冷却風を導入する開口部４３ａが反射鏡５２の上側となるため、本来の冷却性能を得ることができなくなる。すなわち、放電ランプ４５の発光部４５ａは、その内部の対流により、プロジェクタ装置の設置状態に拘らず、必ず、上部が下部に比し熱くなる。
【００１１】
従って、発光部４５ｃの上部を主に冷却する必要があるが、放電ランプ４５の発光部４５ａの上面を冷却する場合、下側から冷却風を供給した方が効率が良いことが実験などから解明されており、冷却風を反射鏡５２の上部から内部に導入した場合、冷却効率が低下する。
【００１２】
例えば、据置き設置によるプロジェクタ装置の発光部４５ａの適正温度が、上側が約９５０℃、下側が約９００℃であるとした場合、プロジェクタ装置を天吊り設置とした場合、放電ランプ４５は水平点灯であるため発光部４５ａの上下が逆となり、更に冷却風の当たり方が変化するので、上側の温度が適正温度よりも高くなり、一方、下側の温度が適正温度よりも低くなってしまう。
【００１３】
又、例えば特許文献１には、反射鏡の上下方向に冷却ファンを配設し、各冷却ファンからの冷却風を、反射鏡の上下に設けた開口部を介して反射鏡の内部に各々導く技術が開示されている。
【００１４】
【特許文献１】
特開２００２−３５２６０４号公報
【００１５】
【発明が解決しようとする課題】
このように、反射鏡に対する冷却風の導入側と排出側とが予め固定されている場合、据置き設置を基準とするプロジェクタ装置を天吊り設置とした場合には、発光部４５ａの温度が本来の適正温度よりも高くなってしまい、放電ランプ４５が短命化してしまう不都合がある。又、同じタイプのプロジェクタ装置であっても設置状態によって、放電ランプ４５の寿命が異なるため、製品に対するイメージダウンとなる。
【００１６】
これに対処するに、天吊り設置の場合は、冷却ファンの回転数を高め、冷却性能を向上させることで、発光部４５ａを適正温度に保持することも考えられるが、
風量増加による騒音対策を施す必要があり、その分製品コストが高くなる問題がある。
【００１７】
また、特許文献１によれば、プロジェクタ装置を上下を逆にして設置した場合であっても、冷却風路は殆ど変化しないため、発光部を適正温度に保持することができる。しかし、冷却ファンを対向一対装備しなければならないため、製品コストがアップする。更に、冷却ファンが増加した分、騒音対策を別途、施す必要がある。
【００１８】
本発明は、上記事情に鑑み、簡単な構造で、投影機を上下を逆にして設置した場合であっても、光源の発光部を適正温度に保持することができ、光源の長寿命化を実現することのできる光源装置を提供することを目的とする。
【００１９】
【課題を解決するための手段】
本発明による光源装置は、反射鏡と、上記反射鏡の前面を覆う光透過性ガラスと、上記反射鏡の内部に水平方向に配置した放電ランプと、上記反射鏡の上記放電ランプを挟んで対向する位置に開口する冷却風導入用開口部と、上記反射鏡の上記冷却風導入用開口部よりも後方に開口する排出用開口部とを有し、上記各冷却風導入用開口部に一対の冷却風通路の吐出側を各々接続し、上記各冷却風通路の冷却風導入口側を一体化すると共に、上記冷却風導入口に、上記各冷却風通路の一方を選択的に閉塞する可動式遮蔽部材を配設したことを特徴とする。
【００２０】
この場合、好ましくは、上記可動式遮蔽部材は自重、或いは伝導、或いは手動により上記各冷却風通路の一方を選択的に閉塞すると良い。
【００２１】
本発明では、光透過性ガラスで前面を覆われた反射鏡を有し、反射鏡の内部に放電ランプを水平方向に配置し、反射鏡の、放電ランプを挟んで対向する位置に冷却風導入用開口部を各々設け、両冷却風導入用開口部に、一対の冷却風通路の吐出側を各々接続し、反対側の冷却風導入口を一体化し、冷却風導入口に、常にいずれか一方の冷却風通路を遮蔽できるような可動式遮蔽部材を設置し、可動式遮蔽部材により反射鏡の他方の冷却風導入用開口部に連通する冷却風通路にのみ冷却風を供給することで、放電ランプを効率よく冷却して、適正温度を保持できるようにする。
【００２２】
【発明の実施の形態】
以下、図面を参照して本発明の一実施の形態について説明する。図１〜図６に本発明の第１実施の形態を示す。図１は液晶プロジェクタ装置の構成を示す概略平面図であり、図においては、液晶プロジェクタ装置を机上に水平に設置する据置き設置の状態が示されている。
【００２３】
図中の符号１はケースで、その内部に、液晶パネル２を有する光学装置３が配置されている。尚、図示しないが光学装置３には色フィルタ等が配置されている。
【００２４】
又、光学装置３の入射側にランプユニット４が配設されている。このランプユニット４には高圧水銀ランプ、メタルハライドランプ等からなる光源としての放電ランプ４ａが設けられ、この放電ランプ４ａにランプ電源５が接続されており、放電ランプ４ａからの出射光が、液晶パネル２の入射面に照射される。又、光学装置３の出射側に投射レンズ６が対設されており、この投射レンズ６を保持するレンズ保持体７がケース１に固設されている。更に、投射レンズ６の投射方向にスクリーン８が対設されている。
【００２５】
液晶パネル２は、液晶駆動回路９からの駆動信号で駆動される。又、ケース１の一側に、外部の空気をケース１内に取り込む吸引用冷却ファン１０が配設され、又、ケース１の背面に、ケース１内の空気を外部へ排出する排出用冷却ファン１１が配設されている。尚、機種によっては、排出用冷却ファン１１が省略されているものもあるが、本実施の形態では、排出用冷却ファン１１が装備されている液晶プロジェクタ装置について説明する。本実施の形態は排出用冷却ファン１１が省略された機種に適用できることは云うまでもない。
【００２６】
図３に示すように、ランプユニット４は、放電ランプ４ａと、この放電ランプ４ａが取り付けられる反射鏡２１と、反射鏡２１の前面開口部を覆う光透過性ガラス２２とを備えている。又、図２に示すように、このランプユニット４が樹脂製のランプホルダ２３に固設されており、このランプホルダ２３をケース１に固設することで、光学装置３とランプユニット４との位置関係が固定される。尚、反射鏡２１は、耐熱温度の高いホウケイ酸ガラスやアルミノシリケートガラス等のガラス材の内面に反射膜を蒸着して形成されている。
【００２７】
又、放電ランプ４ａは、中央の発光部４ｂと両端の封止部４ｃとで構成された水平点灯方式であり、放電ランプ４ａが高圧水銀ランプの場合は、発光部４ｂに水銀と希ガスとが封入されている。更に、後端側の封止部４ｃが、反射鏡２１の後部中央に穿設されている孔部２１ａに耐熱性の接着剤によって形成された接着部２４を介して固定されている。
【００２８】
又、反射鏡２１の前面開口部側で、光透過性ガラス２２の近傍の上下に冷却風導入用開口部２５が設けられている。更に、放電ランプ４ａの後端側の封止部４ｃを固着する接着部２４に、複数の排出用開口部２６が穿設されている。又、反射鏡２１の開口端側の上下に設けた冷却風導入用開口部２５に流入ポート２５ａが各々突設されている。
【００２９】
図１、図４に示すように、各流入ポート２５ａの端面に、一対の冷却風通路２７，２８の一端に設けた冷却風吐出口２７ａ，２８ａが各々当接される。冷却風通路２７，２８は樹脂製の一体成型品であり、ケース１内に予め組付けられている。又、各冷却風通路２７，２８は、各流入ポート２５ａに当接する冷却風吐出口２７ａ，２８ａから上下方向へ各々延出され、続いて反射鏡２１の上下面に沿って側方へ延出され、次いでランプユニット４の出射光を妨げない位置で屈曲された後、他端の各冷却風導入口２７ｂ，２８ｂが交差された状態で一体化されている。更に、この各冷却風導入口２７ｂ，２８ｂの端部に１つの開口部２９が形成され、この開口部２９が吸引用冷却ファン１０に対設されている。
【００３０】
図４、図５に示すように、交差された冷却風導入口２７ｂ，２８ｂは、吸引用冷却ファン１０に対し、反射鏡２１の下側に突出する流入ポート２５ａに接続する冷却風通路２８の冷却風導入口２８ｂが上部に配設され、その下方に冷却風通路２７の冷却風導入口２７ｂが配設されている。尚、各冷却風通路２７，２８は形状を自由に設定することができるが、上下を逆にした場合に、放電ランプ４ａの発光部４ｂに当たる冷却風の特性が同一になるように設定することが望ましい。
【００３１】
又、開口部２９に可動式遮蔽部材の一例であるシャッタ３０が配設されている。図４〜図６に示すように、シャッタ３０は、冷却風導入口２７ｂ，２８ｂの一方を閉塞する大きさに形成されており、開口部２９の両側に上下方向沿って平行に形成されたガイドレール３１に沿って、自重により移動される。シャッタ３０は自重により上下動させるために、ある程度の質量を有する必要があり、例えば薄い鉄板をインサートした樹脂材、アルミの平板、鉄板等で形成されている。
【００３２】
液晶プロジェクタ装置を机上に据置いた状態では、冷却風導入口２７ｂが閉塞され、又、液晶プロジェクタ装置を天井に吊下げた状態では、冷却風導入口２７ｂ，２８ｂの上下方向が逆になるため、シャッタ３０がガイドレール３１に沿って移動して、冷却風導入口２８ｂが閉塞される。
【００３３】
次に、本実施の形態の作用について説明する。
冷却風通路２７，２８は樹脂成型品であり、予め決められた形状に一体形成されている。従って、冷却風通路２７，２８をケース１に取付けると、冷却風導入口２７ｂ，２８ｂの開口部２９が吸引用冷却ファン１０に対設され、一方、各冷却風通路２７，２８の冷却風吐出口２７ａ，２８ａが、後述するランプユニット４を構成する反射鏡２１の上下面に突設された流入ポート２５ａが臨まれる位置に配設される。
【００３４】
尚、開口部２９にはガイドレール３１が一体形成されており、このガイドレール３１にシャッタ３０が取付けられている。
【００３５】
次いで、ランプユニット４を保持するランプホルダ２３をケース１内に臨ませ、ランプホルダ２３を所定に位置決めした状態で固定すると、反射鏡２１の上下面に突設されている流入ポート２５ａが冷却風通路２７，２８の冷却風吐出口２７ａ，２８ａの端面に当接し、或いは僅少な間隙を開けて対設される。
【００３６】
このように、ランプホルダ２３に固設されているランプユニット４をケース１に組付け、所定に位置決め固定すると、反射鏡２１の上下面に設けた流入ポート２５ａの端面が、冷却風通路２７，２８の冷却風吐出口２７ａ，２８ａの端面に対設されるため、互いの位置調整を行う必要が無く、組付け性がよい。
【００３７】
そして、所定に組付けが完了した液晶プロジェクタ装置を机上等に水平状態に設置すると、冷却風通路２７，２８の開口部２９に一体形成されているガイドレール３１に両側が支持されているシャッタ３０は、図５、図６に示すように、自重により下側に移動した状態が保持され、反射鏡２１の上面から突出する流入ポート２５ａに接続されている冷却風通路２７の冷却風導入口２７ｂが閉塞される。
【００３８】
その後、図示しないメインスイッチをＯＮし、吸引用冷却ファン１０、及び、排出用冷却ファン１１を駆動させると、吸引用冷却ファン１０にて冷却風がケース１内に取入れられ、光学装置３等の要冷却部位を所定に冷却する。一方、ケース１内を冷却した冷却風は排出用冷却ファン１１にて外部に排出される。
【００３９】
その際、吸引用冷却ファン１０で発生する冷却風の一部は、冷却風通路２８の冷却風導入口２８ｂから内部に取入れられ、図４に矢印で示すように、冷却風通路２８に沿って反射鏡２１の下面に突出する流入ポート２５ａ側へ導かれる。
【００４０】
そして、図３に矢印で示すように、反射鏡２１の下面に突出する流入ポート２５ａから反射鏡２１の内部に導かれた冷却風は、放電ランプ４ａの発光部４ｂ、及びその周辺部位を所定に冷却した後、放電ランプ４ａの後端側の封止部４ｃを反射鏡２１に固着する接着部２４に穿設されている排出用開口部２６を通り、外部に排出される。
【００４１】
一方、液晶プロジェクタ装置を天井に吊下げる天吊り設置では、ケース１の上下が逆となるため、冷却風導入通路２７，２８の冷却風導入口２７ｂ，２８ｂは、冷却風導入口２７ｂが上側で冷却風導入口２８ｂが下側になる。すると、シャッタ３０は自重により、ガイドレール３１に支持されて下側へ移動し、冷却風導入口２８ｂを閉塞する。
【００４２】
すると、吸引用冷却ファン１０で発生した冷却風は、開口部２６の上部側で開口する冷却風導入通路２７の冷却風導入口２７ｂから冷却風導入通路２７に沿って、天吊り状態にある反射鏡２１の下面から突出する流入ポート２５ａに導かれる。そして、反射鏡２１の下面に突出する流入ポート２５ａから反射鏡２１の内部に導かれた冷却風は、液晶プロジェクト装置を机上に設置した据置き設置の場合と同様の風路を経て放電ランプ４ａの発光部４ｂ、及びその周辺部位を所定に冷却する。そして、冷却後の冷却風は、放電ランプ４ａの後端側の封止部４ｃを固着する接着部２４に穿設されている排出用開口部２６を経て外部に排出される。
【００４３】
このように、本実施の形態では、液晶プロジェクタ装置を据置き設置で使用する場合は、シャッタ３０が反射鏡２１の上面に設けた流入ポート２５ａに連通する冷却風導入通路２７の冷却風導入口２７ｂを自動的に閉塞する。一方、液晶プロジェクタ装置の上下を逆にして天吊り設置で使用する場合は、シャッタ３０が、天吊り状態にある反射鏡２１の上面に設けた流入ポート２５ａに連通する冷却風導入通路２８の冷却風導入口２８ｂを自動的に閉塞する。
【００４４】
その結果、液晶プロジェクタ装置を机上に設置する据置き設置と、上下を逆にして天井に吊り下げる天吊り設置との何れの場合でも、冷却風は必ず反射鏡２１の下側から内部に導入されるため、放電ランプ４ａに対する冷却風の風路が常に同一となり、放電ランプ４ａを効率よく冷却し、常に適正温度に保持することができ、放電ランプ４ａの超寿命化を実現することができる。
【００４５】
又、冷却風導入通路２７，２８の切換えがシャッタ３０の自重により自動的に行われるので、シャッタ３０を駆動する動力が不要で、手間が掛からず、使い勝手がよい。
【００４６】
図７に本発明の第２実施の形態による図４相当の概略正面図を示す。
本実施の形態では、シャッタ３０を動力手段を用いて動作させるようにしたものである。シャッタ３０を動力手段を用いて動作させることで、第１実施の形態のように冷却風導入通路２７，２８の冷却風導入口２７ｂ，２８ｂを交差させる必要がなくなり、冷却風を効率よく導入することができる。又、シャッタ３０を動力手段を用いて積極的に動作させることで、冷却風導入口２７ｂ，２８ｂの一方を確実に閉塞させることができる。
【００４７】
詳細には、シャッタ３０の上端にソレノイド３６をリンク３７を介して連接し、ソレノイド３６のＯＮ／ＯＦＦにより、液晶プロジェクタ装置を据置き設置の場合は、図７に示すように冷却風導入口２７ｂをシャッタ３０で閉塞し、冷却風導入口２８ｂを開口させる。又、天吊り設置の場合は、冷却風導入口２８ｂをシャッタ３０で閉塞し、冷却風導入口２７ｂを開口させる。
【００４８】
尚、電動手段は、ソレノイド３６に限らず、モータであっても良く、更に、放電ランプ４ａの発光部４ｂの熱い方を検知して動作するバイメタル、形状記憶合金であっても良い。又、反射鏡２１内への冷却風の導入経路については、第１実施の形態と同様であるため説明を省略する。
【００４９】
ところで、据置き設置と天吊り設置とでは、液晶パネル２の上下が逆になるため、液晶パネル２の表示を切換える必要がある。従って、液晶プロジェクタ装置には、設置状態に合わせて液晶パネル２の表示方向を切換える表示切換スイッチが併設されている。この表示切換スイッチにソレノイド３６のＯＮ／ＯＦＦを連動させることで、ソレノイド３６の切換え動作が自動化され、取扱性が良くなる。
【００５０】
又、図８に本発明の第３実施の形態による冷却風導入口２７ｂ，２８ｂの概略側面断面図を示す。
本実施の形態では、シャッタ３０をヒンジ４１を中心に回転させることで、冷却風導入口２７ｂ，２８ｂの一方を閉塞するようにしたものである。シャッタ３０の回転は、自重、手動、動力利用の何れであっても良いが、自重の場合は、第１実施の形態と同様、冷却風導入口２７ｂ，２８ｂを交差させた状態で一体化させる必要がある。又、手動式の場合も冷却風導入口２７ｂ，２８ｂを交差させて一体化することで、設置状態に拘らず下側に開口する冷却風導入口２７ｂ（或いは２８ｂ）を閉塞すれば良いので、風路の切換え方向を簡単に認識することができ、切換え作業が容易になる。
【００５１】
尚、本発明は上述した各実施の形態に限るものではなく、例えば、シャッタ３０を動力手段を用いて動作させる場合、液晶プロジェクタ装置の設置状態をセンサにより検知して、動力手段を動作させるようにしても良い。
【００５２】
又、放電ランプ４ａの特性によっては反射鏡２１の上側に設けた冷却風導入用開口部２５から冷却風を導入した方が効率よく冷却できる場合もあり、このような場合は、シャッタ３０にて、反射鏡２１の下面に設けた流入ポート２５ａに連通する冷却風導入通路２８（或いは２７）の冷却風導入口２７ｂ（或いは２８ｂ）を閉塞する。
【００５３】
又、可動式遮蔽部材は、シャッタ３０等のような平板状に限らず、球状等、立体的形状であっても良い。更には、開口部２９に回転板を風路に直交する方向に配設し、この回転板の一部に風穴を穿設し、回転板を回転させて風穴を一方の冷却風導入口２７ｂ（或いは２８ｂ）に対向させて開口し、他方の冷却風導入口２８ｂ（或いは２７ｂ）を回転板で閉塞させるようにして、風路を切換えるようにしても良い。
【００５４】
【発明の効果】
以上説明したように、本発明によれば、簡単な構造で、投影機を上下を逆にして設置した場合であっても、光源の発光部を適正温度に保持することができ、光源の長寿命化を実現することができる。
【図面の簡単な説明】
【図１】第１実施の形態による液晶プロジェクタ装置の構成を示す概略平面図
【図２】同、ランプユニットをランプホルダに固定した状態の斜視図
【図３】同、ランプユニットの側面断面図
【図４】同、光透過性ガラスを省略したランプユニットと一対の冷却風導入通路との概略正面図
【図５】同、図４のＶ矢視正面図
【図６】同、図５のＶＩ−ＶＩ断面図
【図７】第２実施の形態による図４相当の概略正面図
【図８】第３実施の形態による冷却風導入通路に設けた冷却風導入口の概略側面断面図
【図９】従来のランプユニットの側面断面図
【図１０】他の態様による従来のランプユニットの側面断面図
【符号の説明】
４ａ  放電ランプ
２１  反射鏡
２２  光透過性ガラス
２５  冷却風導入用開口部
２６  排出用開口部
２７，２８  冷却風通路
２７ａ，２８ａ  冷却風吐出口
２７ｂ，２８ｂ  冷却風導入口
３０  シャッタ（可動式遮蔽部材）
【図１】
2005024735.tif 000003
【図２】
2005024735.tif 000004
【図３】
2005024735.tif 000005
【図４】
2005024735.tif 000006
【図５】
2005024735.tif 000007
【図６】
2005024735.tif 000008
【図７】
2005024735.tif 000009
【図８】
2005024735.tif 000010
【図９】
2005024735.tif 000011
【図１０】
2005024735.tif 000012